(57)【特許請求の範囲】
【請求項１】
透液性のトップシートと不透液性のバックシートとの間に吸収体を設けたナプキン本体と、前記ナプキン本体をバックシートが外側となる状態に畳んで包装した包装シートとを具備する包装生理用ナプキンにおいて、
前記バックシートは、左右両側縁における中間部から装用時にショーツの外面へ折り重ねてズレを防止するためのウイングを有し、前記トップシートは不織布又は多数の孔を形成したプラスチック製のメッシュシートからなり、取り付けられた状態で前記バックシートと同じ大きさを成しており、
前記バックシートの吸収体面側に絵柄を印刷し、該絵柄をバックシートのウイング部において外面側から透かして見えるようにしたことを特徴とする包装生理用ナプキン。
【請求項２】
請求項１に記載した包装生理用ナプキンにおいて、前記ナプキン本体と包装シートとの間に介挿された剥離材を具備し、前記包装シート及び剥離材を透して前記絵柄を視認できるようにしたことを特徴とする包装生理用ナプキン。
【請求項３】
請求項１から２いずれかに記載した包装生理用ナプキンにおいて、包装シートのヘイズ値を９５以下にしたことを特徴とする包装生理用ナプキン。
【請求項４】
請求項１から３いずれかに記載した包装生理用ナプキンにおいて、バックシートの面積に対する全絵柄面積の割合を、１０％以上８０％以下にしたことを特徴とする包装生理用ナプキン。
【発明の詳細な説明】
【技術分野】
【０００１】
本発明は、包装生理用ナプキンに係り、詳しくは、バックシートとトップシートとの間に吸収体を挟んだ構造の生理用ナプキンを包装シートで包んだ包装生理用ナプキンに関するものである。
【背景技術】
【０００２】
今日、生理用ナプキンについては、使用前の状態においてはそれが生理用ナプキンであるとは分からない程度にカムフラージュされた外観が要求され、使用後の状態でも吸収した経血等ができるだけ目立たない工夫が望まれている。この前者の要求を満たす工夫として個包装を利用した従来の包装生理用ナプキンの一例ａを図７に示す。
【０００３】
同図では包装生理用ナプキンａを、ナプキン本体ｂと、剥離フィルムｃと、包装シートｄに分離してこれらを下側から見る向きで示してある。ナプキン本体ｂは、不透液性のバックシートｅの上に吸収体と透液性のトップシート等を重ねた構造になっており、このバックシートｅには白色のポリエチレンシートを用いている。包装シートｄは、白色の不透明又は半透明のポリエチレンシートの一方の面にほぼ余すところ無く絵柄ｆをカラー印刷したもので、その一端部にシールテープｇを貼り付けてある。剥離フィルムｃはその上面に粘着剤ｈが塗布されると共に、裏面の前後両端近くに接着材ｈ′が塗布されていて、この接着材ｈ′によって剥離フィルムｃが包装シートｄの上面に接着される。
【０００４】
剥離フィルムｃが接着された状態の包装シートｄの上面にナプキン本体ｂを重ねた後、その全体を同図に矢印で示すように３つに折り畳むことで、ナプキン本体ｂを包装シートｄで包み、最後に包装シートｄの両側縁部ｉをシールする。これによって、ナプキン本体ｂが包装シートｄで包装された包装生理用ナプキンａが出来上がる。剥離フィルムｃに設けられている粘着剤ｈはナプキン本体ｂが剥離フィルムｃに重ねられたときバックシートｅに転写される。包装シートｄの口はシールテープｇで押える。
【０００５】
このような形の包装生理用ナプキンａによれば、外装全体がほぼ不透明で、しかも、そのほぼ全面に絵柄ｆがあるおしゃれな外観を呈し、その形やサイズが所謂ポケットティッシュに似た形態になるため、これを見る者に生理用ナプキンであることを意識させない。
【発明の開示】
【発明が解決しようとする課題】
【０００６】
しかしながら、上記した従来の包装生理用ナプキンａでは、ナプキン本体ｂのバックシートｅが単なる白色であるために、吸収体に吸収された経血などがバックシートｅを通して生々しく見えてしまう。この状態はナプキン本体ｂを畳んでも隠すことはできない。このため、ナプキンを交換する度に不快な思いをするし、汚物入れに捨てる場合でさえ、人に見られたくないという心理から、ティッシュペーパーなどに幾重にも包んで捨てるという手間の掛かる処理をすることが多い。しかも、バックシートｅが単に白色であったり、無地一色であるために、包装を解いてナプキン本体ｂを装用する際、人によっては非常に無機質な感じを受けて、生理の憂鬱さを高めてしまうという問題もある。
【０００７】
そこで、包装シートｄだけで無く、バックシートｅにもおしゃれな絵柄を印刷することが考えられ無くもないが、そうすると、印刷のコストがアップしてしまう。
【０００８】
また、この包装生理用ナプキンａでは、包装シートｄに絵柄ｆが印刷されているために、絵柄ｆがはっきり見え過ぎて目立ち易いという問題があり、多くの者が利用するようになってその絵柄ｆが知れ渡れば、結局、その絵柄ｆが生理用ナプキンであることの表示になってしまうので、生理用ナプキンであることをカムフラージュする効果が希釈されてしまう。
【０００９】
本発明は上記した従来の問題点に鑑みて為されたものであり、絵柄の印刷を一つの部材に施すだけで、吸収体が吸収した経血のシミを絵柄でカムフラージュすることができると共に、包装を解いた状態では勿論、包装を解く前の状態においてもその絵柄を外に見せることができて外観もカムフラージュすることができる新規な包装生理用ナプキンを提供することを目的とする。
【課題を解決するための手段】
【００１０】
この目的を達成するために、透液性のトップシートと不透液性のバックシートとの間に吸収体を設けたナプキン本体と、前記ナプキン本体をバックシートが外側となる状態に畳んで包装した包装シートとを具備する包装生理用ナプキンにおいて、
前記バックシートは、左右両側縁における中間部から装用時にショーツの外面へ折り重ねてズレを防止するためのウイングを有し、前記トップシートは不織布又は多数の孔を形成したプラスチック製のメッシュシートからなり、取り付けられた状態で前記バックシートと同じ大きさを成しており、
前記バックシートの吸収体面側に絵柄を印刷し、該絵柄をバックシートのウイング部において外面側から透かして見えるようにしたことを特徴とするものである。
【００１１】
この包装生理用ナプキンにあっては、ナプキン本体のバックシートの吸収体側面に絵柄が印刷されているので、吸収体が吸収した経血のシミがバックシートの外面から見えたとしても、そのシミは絵柄に紛れることで一見しただけでは分からない。
【００１２】
バックシートに印刷されている絵柄は、包装を解いた状態においては勿論視認できるし、包装を解く前の状態でも包装シートの外から視認できるので、それが生理用ナプキンであることを意識させない外観を持たせることができる。また、絵柄をバックシートに印刷するだけで、経血のカムフラージュと、包装を解く前の状態におけるナプキン本体のカムフラージュの両方を果たすことができ、コストの上昇を防ぐことができるし、装用時に無機質な感じを与えることも無く、使用後にティッシュペーパー等で過剰に包むような処理もしなくて済む。
【００１３】
請求項２に記載した包装生理用ナプキンは、請求項１に記載した包装生理用ナプキンにおいて、前記ナプキン本体と包装シートとの間に介挿された剥離材を具備し、前記包装シート及び剥離材を透して前記絵柄を視認できるようにしたことを特徴とするものである。
【００１４】
この包装生理用ナプキンにあっては、ナプキン本体のバックシートの吸収体側面に絵柄が印刷されているので、吸収体が吸収した経血のシミがバックシートの外面から見えたとしても、そのシミは絵柄に紛れることで一見しただけでは分からない。
【００１５】
バックシートに印刷されている絵柄は、包装を解いた状態においては勿論視認できるし、包装を解く前の状態でも包装シート及び剥離材の外から視認できるので、それが生理用ナプキンであることを意識させない外観を持たせることができる。また、絵柄をバックシートに印刷するだけで、経血のカムフラージュと、包装を解く前の状態におけるナプキン本体のカムフラージュの両方を果たすことができ、コストの上昇を防ぐことができるし、装用時に無機質な感じを与えることも無く、使用後にティッシュペーパー等で過剰に包むような処理もしなくて済む。
【００１６】
請求項３に記載した包装生理用ナプキンは、請求項１から２いずれかに記載した包装生理用ナプキンにおいて、包装シートのヘイズ値を９５以下にしたことを特徴とするものである。
【００１７】
包装シートのヘイズ値が低すぎると、絵柄だけで無くナプキン本体の外形もくっきり見えてしまうことになるし、絵柄によっては鮮明に見えない方がおしゃれな感じになることもある。この点について、多数の試作品を評価した結果、包装シートのヘイズ値は、色の種類にかかわらず、９５以下、望ましくは６０以下にすると良いことが分かった。
【００１８】
請求項４に記載した包装生理用ナプキンは、請求項１から３のいずれかに記載した包装生理用ナプキンにおいて、バックシートの面積に対する全絵柄面積の割合を、１０％以上８０％以下にしたことを特徴とするものである。
【００１９】
本発明における絵柄の適切な量は、絵柄自体の形態だけで無く、包装シートやバックシートの色や透明度との関係も考慮して設定すべきであるが、これをバックシートの面積に対する割合で見た場合は、請求項４に記載のように、１０％以上８０％以下にするのが良い。
【発明の効果】
【００２０】
以上のように、本発明によれば、絵柄の印刷を一つの部材に施すだけで、吸収体が吸収した経血のシミを絵柄でカムフラージュすることができる。また、包装を解いた状態では勿論、包装を解く前の状態においてもその絵柄を外に見せることができて外観もカムフラージュすることができる。
【発明を実施するための最良の形態】
【００２１】
以下に、本発明に係る包装生理用ナプキンの各実施の形態を図面に従って説明する。
〔１．第一の実施の形態〕（図１〜図４）
図１から図４は、第一の実施の形態に係る包装生理用ナプキン１を示すものである。
【００２２】
〔Ａ．各部の形状等〕
この包装生理用ナプキン１は、ナプキン本体３と、これを３つ折りに畳んだ状態で包装した包装シート２１と、これらの間に介挿された縦横２枚の剥離フィルム１１、１５とで構成されている。ナプキン本体３は、不透液性のバックシート５と、このバックシート５の一方の面に保持された吸収体７と、この吸収体７を挟んでバックシート５に重ねられた透液性のトップシート９とから成る多層構造になっている。
【００２３】
バックシート５は、前後方向に長い概ね瓢箪形を為す主部５ａと、前記主部５ａの左右両側縁における中間部から互いに反対側へ張り出した台形状のウイング５ｂとが一体に形成されている。ウイング５ｂは、装用時にショーツの外面へ折り重ねてズレを防止するための部位である。このバックシート５の材料としては、ポリエチレンシートやポリエチレンラミネート不織布等が用いられ、望ましくは、不透液性を有し且つ通気性が良いもの、例えばポリエチレンやポリプロピレン等のオレフィン系樹脂に無機充填剤を溶融混練したものを延伸処理した微多孔性シートを用いる。
【００２４】
吸収体７は、綿状パルプや合成パルプ等を比較的軽い坪量で積層した積繊パルプ製のもので、全面ほぼ均一な厚さのシート状を為すように形成されている。吸収体７の平面形状は、バックシート５の主部５ａよりほぼ一回り小さくて前後方向に長いほぼ長方形状を為し、吸収体７の前後両端縁７ａは、バックシート３の前後両端縁とほぼ相似形の円弧を為している。吸収体７の左右幅は、成人女性の股間隔に合わせて概ね５０〜８０ミリ程度にしてある。
【００２５】
このような吸収体７はバックシート５の主部５ａの上面に接着される。この接着は、ホットメルトなどの接着剤によって行われ、吸収体７の前後両脇と左右両脇のそれぞれにおいて同じ大きさでバックシート５がはみ出すように位置合わせされる。
【００２６】
トップシート９は、これが取り付けられた状態においてはバックシート５と同じ大きさを為しているが、吸収体７と略同じ大きさのメイントップシート９ａと左右２枚のサイドトップシート９ｂとに分けて形成されている。メイントップシート９ａとサイドトップシート９ｂはいずれも、不織布や多数の孔を形成したプラスチック製のメッシュシートなどで形成されている。サイドトップシート９ｂにはバックシート５のウイング５ｂに対応した張出し部が一体に形成されている。メイントップシート９ａは吸収体７に重ねて接着され、サイドトップシート９ｂはその直線状の側端部がメイントップシート９ａの側端部に重なった状態でバックシート５に接着される。これらの接着もホットメルトなどの接着剤やヒートシールなどによって行われる。
【００２７】
尚、吸収体７の形状を保持したり、吸収体７が吸収した経血の拡散を防止したりするために、例えばクレープ紙などの吸収シートで吸収体７を包んだり、或いは、吸収体７の上にそのような吸収シートを重ねても良い。
【００２８】
剥離材としての剥離フィルム１１及び１５は、白色半透明のプラスチック製フィルムを基材としてその一方の面に剥離剤をコーティングしたものである。前後方向に長い一方の剥離フィルム１１は、吸収体７よりほぼ一回り程度小さい矩形のシート状を為しており、左右方向に長い他方の剥離フィルム１５は、左右のウイング５ｂを両端とする大きさの矩形のシート状を為している。剥離フィルム１１及び１５の基材としては、例えばポリエチレンフィルムを使用し、剥離剤としては例えばシリコンが用いられ、透明度はヘイズ値約５９程度になっている。剥離フィルム１１及び１５は無色透明（ヘイズ値０）が好ましいが、白色半透明である場合はヘイズ値を９５以下のものが好ましく、より好ましく６０以下である。これら剥離フィルム１１、１５は、剥離剤がコーティングされた面を上面として用いる。
【００２９】
一方の剥離フィルム１１には、その上面に長手方向へ互いに平行に延びる状態に粘着材１３が付与されると共に、下面の両端部には接着材１４が付与されている。この接着材１４には接着剤又は両面接着テープ等を用いる。また、他方の剥離フィルム１５には、その上面の両端部に粘着材１７が付与されている。粘着材１３、１７はいずれもバックシート５に転写するもので、例えばホットメルトを印刷塗布することで設ける。尚、この粘着材１３、１７の強度は、綿布に貼り付けた状態で２ｋｇのローラーで一往復させた後１８０゜の角度まで剥離させたとき１ｋｇ以上の粘着強度をもつものが良い。特に、２５ｇ／ｍ2から５０ｇ／ｍ2の粘着強度の範囲が望ましい。
【００３０】
包装シート２１は、ヘイズ値６０程度の透明度を持つＳＭＳ不織布によって略長方形状に形成されたものである。包装シート２１の前後長はバックシート５の前後長とほぼ同じで、左右幅はバックシート５の主部５ａの一番幅広の部分における左右幅より多少大きい。この包装シート２１の長手方向における一端部には、シールテープ２５が一部はみ出した状態に貼り付けられている。包装シート２１としては、ＳＭＳ不織布のほかに、スパンボンド、スパンレース、エアースルーなどが適する。
【００３１】
〔Ｂ．ナプキン本体の包装〕
一方の剥離フィルム１１は、バックシート５の裏面に粘着される。この粘着は、剥離フィルム１１の中央部とバックシート５の主部５ａの中央部とが一致するように位置合わせした状態で、粘着剤１３により行われる。この粘着が行われた後、他方の剥離フィルム１５がバックシート５の裏面に粘着される。この粘着は、剥離フィルム１５の両端部が左右のウイング５ｂに各別に重なるように位置合わせして、粘着剤１７により行われる。従って、この剥離フィルム１５は、その中間部が一方の剥離フィルム１１に下から重なる状態に設けられる。尚、粘着剤１３、１７は剥離フィルム１１、１５の剥離剤コーティング面に付与されているので、剥離フィルム１１、１５がバックシート５に重なることで、粘着材３、１７がバックシート５の下面に転写される。粘着材３、１７によってバックシート５をショーツに貼り付けることで生理用ナプキンがずれるのを防止する。
【００３２】
このようにして剥離フィルム１１、１５が粘着された状態のナプキン本体３は、そのウイング部２７（図２参照）、即ち、バックシート５のウイング５ｂとサイドトップシート９ｂの張出し部及び剥離フィルム１５の両端部から成るウイング部２７を、バックシート５の下面に重なるように折り畳み、この状態で包装シート２１の上面に重ねて接着する。この接着は、図４に示すように一方の剥離フィルム１１の下面に設けられている接着材１４によって行われる。
【００３３】
この状態から、包装シート２１をナプキン本体３と一緒に３つに折り畳む。この折り畳みは、バックシート５がナプキン本体３の外側となる状態に、図２に示す矢印(1)、矢印(2)の順で行う。即ち、先ず、シールテープ２５と反対側ほぼ４分の１を折り畳み、次いで、シールテープ２５側ほぼ３分の１を折り畳む。これにより、図１に示すように、包装シート２１のシールテープ２５側の端部がこれと反対側の端部に上から重なって、ナプキン本体３が包装シート２１で完全に覆われた状態になる。この包装シート２１の端部どうしの重なり部はシールテープ２５で閉じる。
【００３４】
そして、包装シート２１の左右両側縁部２１ａを重なった部分どうしをヒートシールすることで、ナプキン本体３を完全包装する。ナプキン本体と包装シートをこのような形態に折り畳んで包装を完成することについては、後述する第二、第三の各実施の形態においても同様である。
【００３５】
〔Ｃ．絵柄、視認効果〕
バックシート５の下面には、その全体にバランス良く配置された状態に、絵柄３１が多数印刷されている。この実施の形態では、絵柄３１として、比較的大柄の葉や蔓性草花をデザインした形を選んでいて、例えば、緑色やオレンジ色などでカラー印刷してある。絵柄３１の総面積は、バックシート５の面積に対して約５０％にしてある。この絵柄３１の総面積のバックシート５の面積に対する割合は１０％から８０％の範囲で調節する。また、絵柄３１は生理用ナプキン１を装着した状態で排血口に対応する部位を含めて備えられ、ナプキン本体３の長手方向に間隔をおいて間欠的に絵柄３１が配置されている。このように絵柄３１を配置することで、経血のシミをカモフラージュする効果が上がることになる。なお絵柄３１は単色でもよいが、２色以上を用いた方が美観や経血のシミのカモフラージュにおいてより良い効果を得られるので望ましい。
【００３６】
前記したように、ナプキン本体３は、バックシート５が外側になる状態に３つに折りに畳まれた状態で包装シート２１に包装されているので、バックシート５に印刷されている絵柄３１は、包装シート２１による包装を解いた状態では直接視認できるのは勿論、包装を解く前の状態でも、包装シート２１と剥離フィルム１１、１５を透して視認することができる。即ち、包装シート２１は絵柄３１を透視できる透明度に設定されている。本実施の形態においては、包装シート２１と剥離フィルム１１、１５とが重なった部分のヘイズ値が９０になるように設定している。なお、このヘイズ値は９５以下に設定する。
【００３７】
包装シート２１と剥離フィルム１１、１５を介してナプキン本体３を透視する場合、包装シート２１の透明度がヘイズ値約６０で、剥離フィルム１１、１５の透明度がヘイズ値約５９になっていることによりナプキン本体３の外形がぼやけるため、外観上、中身のナプキン本体３を意識することは殆ど無いし、絵柄３がばやけて見える。また、使用によって吸収体７が吸収した経血のシミがバックシート５に現れても、そのシミは絵柄３１によってカムフラージュされる。
【００３８】
尚、生理中にナプキンを交換する際、新たに包装を解いた包装シートで使用済みのナプキンを包むことがよく行われるが、この場合も、使用済みのナプキン本体３をそのバックシート５が外側になる状態に畳めば、経血のシミを絵柄３１でカムフラージュした外観で捨てることができる。
【００３９】
剥離フィルム１１、１５の色や透明度の違いによる絵柄の見え方について評価したテスト結果を表１に示す。このテスト結果によると、ヘイズ値約５９の剥離フィルムを使用したサンプル番号１、２が最も良い評価「◎」を得ており、その次に良い評価「○」は、ヘイズ値約８９から８６程度の剥離フィルムを使用したサンプル番号１乃至７が得た。そして、ヘイズ値９５以上の剥離フィルムを使用したサンプル番号９は最も悪い評価「×」を受け、ヘイズ値９４余りの剥離フィルムを使用したサンプル番号８も比較的悪い評価「△」になった。
【００４０】
【表１】
0004722151.tif 000002
【００４１】
〔２．第二の実施の形態〕（図５）
図５は、第二の実施の形態に係る包装生理用ナプキン１Ａを示すものである。この包装生理用ナプキン１Ａが前記包装生理用ナプキン１と相違するところは、主として、剥離フィルムを有しないことと、バックシートにウイングが無いこと、バックシートに設けた絵柄とその割合等である。従って、説明はこれら相違点だけについて行い、その他の部分については、図面の各部に前記包装生理用ナプキン１における同様の部位に付した符号と同じ符号、又はそれにダッシュ記号を付けた符号を付することで重複説明を避ける。このような符号の使い方とその意味は、後述する第三の実施の形態においても同様とする。
【００４２】
この包装生理用ナプキン１Ａにおいては、バックシート５の下面に、星形様の比較的小さい絵柄３１′を多数散りばめたデザインで、赤又はオレンジ系の色でカラー印刷してある。バックシート５の面積に対する絵柄３１′の総面積の割合は、およそ１５％である。また、包装シート２１′としては、ＳＭＳ不織布の一方の面に剥離剤をコーティングした剥離不織布を使用していて、その剥離剤によって粘着剤１３と包装シート２１′との易剥離を可能にしている。この結果、バックシート５と包装シート２１′との間には剥離フィルムが存在しないので、その分、バックシート５に印刷されている絵柄３１′が包装シート２１′を透して見易くなっているが、絵柄３１′の総面積が小さいために、絵柄３１′が強調され過ぎることは無い。
【００４３】
〔３．第三の実施の形態〕（図６）
図６は、第三の実施の形態に係る包装生理用ナプキン１Ｂを示すものである。この包装生理用ナプキン１Ｂが前記包装生理用ナプキン１Ａと相違するところは、主として、バックシート５′には絵柄を印刷しないで、所望の絵柄を印刷したデザインシート４１をバックシート５′と吸収体７との間に挟んだことだけである。
【００４４】
デザインシート４１は、ポリエチレンシートのラミネート面の全体に細かい格子模様の絵柄４３をカラー印刷したもので、吸収体７とほぼ同じ大きさになっている。このデザインシート４１は、絵柄４３が印刷された面をバックシート５′の上面に重ねた状態で前記バックシート５′に接着され、このデザインシート４１の上に吸収体７が接着される。即ち、デザインシート４１はバックシート５′と吸収体７との間に備えられている。バックシート５′にはヘイズ値が９０程度のものを使用している。
【００４５】
従って、デザインシート４１の絵柄４３は、バックシート５′の下面のほぼ全体に多少ぼやけた状態で透けて見えるので、デザインシート４１に透明度の高い材料を使用した場合でも、吸収体７が吸収した経血のシミは絵柄４３にカムフラージュされる。また、ナプキン本体３′が包装シート２１′で包装されている状態でも、デザインシート４１の絵柄４３は、バックシート５′と包装シート２１′を透して外から見えるので、中身が生理用ナプキンであることを殆ど意識させない。
【００４６】
以上、本発明の実施の形態を説明したが、本発明の具体的構成がこの実施の形態に限定されるものでは無く、本発明の要旨から外れない範囲での設計変更等があっても本発明に含まれる。例えば、実施の形態において、バックシートに絵柄を印刷した場合は、いずれもその印刷面を下面にしたが、場合によっては、印刷面を上にして用い、絵柄を下面から透かして見せるようにしても良い。剥離フィルム１１及び１５はプラスチック製のものに限らず、紙製のものを用いてもよい。上記実施の形態では、剥離フィルム１１、１５を備えた包装生理用ナプキンを示したが、本発明はこれに限定されず、剥離フィルムを具備しない構成のものでもよく、この場合には包装シートのみを透してバックシートに設けられた絵柄を視認する。かかる構成とした場合には、包装シート単体のヘイズ値を９５以下に設定する。
【図面の簡単な説明】
【００４７】
【図１】本発明の第一の実施の形態に係る包装生理用ナプキンを、包装を解く前の状態で示す斜視図である。
【図２】図１に示す包装生理用ナプキンを、包装シートを開いて、且つ、一部をめくり上げた状態で示す斜視図である。
【図３】図１に示す包装生理用ナプキンを分解した斜視図である。
【図４】図１に示す包装生理用ナプキンの底面図である。
【図５】本発明の第二の実施の形態に係る包装生理用ナプキンを、包装を一部解いた状態で示す斜視図である。
【図６】本発明の第三の実施の形態に係る包装生理用ナプキンを、包装シートを開いた状態で示す斜視図である。
【図７】従来の包装生理用ナプキンの一例を示す分解斜視図である。
【符号の説明】
【００４８】
１…包装生理用ナプキン、３…ナプキン本体、５…バックシート、７…吸収体、９…トップシート、１１…剥離フィルム、１３…粘着材、１５…剥離フィルム、１７…粘着材、２１…包装シート、３１…絵柄、１Ａ…包装生理用ナプキン、３′…ナプキン本体、２１′…包装シート、３１′…絵柄、１Ｂ…包装生理用ナプキン、４１…デザインシート、４３…絵柄
【図１】
0004722151.tif 000003
【図２】
0004722151.tif 000004
【図３】
0004722151.tif 000005
【図４】
0004722151.tif 000006
【図５】
0004722151.tif 000007
【図６】
0004722151.tif 000008
【図７】
0004722151.tif 000009